(57)【特許請求の範囲】
【請求項１】
販売機本体の前面を開閉する主扉をロック・アンロックする自動販売機の主扉ロック機構において、
所定のアンロック位置と前記所定のアンロック位置より下方のロック位置との間を上下動可能に前記主扉に設けられたロック部材と、
前記販売機本体に設けられ、前記主扉が前記前面を閉じているとき、前記ロック部材の前記ロック位置で前記ロック部材に係合する係合部材と、
前記主扉に設けられ、前記ロック部材を前記ロック位置から前記アンロック位置まで持ち上げるハンドルと、
前記主扉に回動可能に設けられ、前記ハンドルの操作によって前記アンロック位置に持ち上げられた前記ロック部材を、前記主扉の開操作に基づいて自重によって所定の第１の回動位置へ回動することにより前記アンロック位置に保持し、前記主扉の閉操作に基づいて前記第１の回動位置から第２の回動位置へ回動することにより前記ロック部材を自重によって前記アンロック位置から前記ロック位置まで落下させて前記ロック部材を前記係合部材に係合させるストッパとを備えたことを特徴とする自動販売機の主扉ロック機構。
【請求項２】
前記係合部材は、前記ロック部材に係合する係止部と、前記係止部より前記主扉側に形成された傾斜面とを備えた構成の請求項１記載の自動販売機の主扉ロック機構。
【発明の詳細な説明】
【０００１】
【発明の属する技術分野】
本発明は、販売機本体の前面を開閉する主扉をロック・アンロックする自動販売機の主扉ロック機構に関し、特に、操作性の向上を図った自動販売機の主扉ロック機構に関する。
【０００２】
【従来の技術】
図６は、従来の自動販売機の主扉ロック機構の要部を示す。自動販売機は、前面に開口を有する販売機本体と、販売機本体の前面の開口を開閉する主扉と、主扉に上下動可能に設けられた断面コ字状のロック部材１７と、主扉に設けられた錠前に組み込まれ、ロック部材１７をロック位置（下限位置）Ｐｒから上方へ持ち上げるハンドルと、販売機本体に設けられ、主扉が販売機本体の前面を閉じているとき、ロック部材１７の下限位置Ｐｄでロック部材１７と係合するロック板１８とを有する。ロック板１８は、ロック部材１７と係合する係止溝１８ａと、係止溝１８ａより前側に形成された傾斜面１８ｂとを備え、取付穴１８ｃを通してボルトによって販売機本体に取り付けられている。ロック部材１７には、ロック板１８側に開口１７ｂを形成することにより、開口１７ｂの上部にロック板１８の係止溝１８ａに係合する係合部１７ｃを形成している。
【０００３】
このような構成において、主扉を開ける場合は、錠前を開錠し、ハンドルを例えば左方向へ回動させてロック部材１７をロック位置Ｐｒから上方へ持ち上げる。ロック部材１７の係合部１７ｃがロック板１８の係止溝１８ａから離れ、主扉を開けることが可能になる。主扉を開けた後、ハンドルを元に戻すと、ロック部材１７はロック位置Ｐｒまで落下する。通常は、主扉を開けた状態で販売機本体に対して商品補充作業等を行う。主扉を閉める場合は、主扉を販売機本体側に押し込むことにより、ロック位置Ｐｒにあるロック部材１７の係合部１７ｃの下端がロック板１８の傾斜面１８ｂに当接し、ロック部材１７が傾斜面１８ｂに沿って図６の２点鎖線で示すように上昇し、ロック部材１７の係合部１７ｃがロック板１７の係止溝１８ａに係合し、その後、錠前を施錠して主扉がロックされる。これにより、錠前が壊されても、主扉ロック機構によって主扉が販売機本体にロックされているので、主扉を開けるのが困難になり、盗難防止が図れる。
【０００４】
【発明が解決しようとする課題】
しかし、従来の自動販売機の主扉ロック機構によると、主扉を閉めるときに、ロック部材１７の係合部１７ｃの下端とロック板１８の傾斜面１８ｂとの間の摩擦抵抗によって大きな操作力を必要とするため、操作性が悪いという問題がある。
【０００５】
従って、本発明の目的は、操作性の向上を図った自動販売機の主扉ロック機構を提供することにある。
【０００６】
【課題を解決するための手段】
本発明は、上記目的を達成するため、販売機本体の前面を開閉する主扉をロック・アンロックする自動販売機の主扉ロック機構において、所定のアンロック位置と前記所定のアンロック位置より下方のロック位置との間を上下動可能に前記主扉に設けられたロック部材と、前記販売機本体に設けられ、前記主扉が前記前面を閉じているとき、前記ロック部材の前記ロック位置で前記ロック部材に係合する係合部材と、前記主扉に設けられ、前記ロック部材を前記ロック位置から前記アンロック位置まで持ち上げるハンドルと、前記主扉に回動可能に設けられ、前記ハンドルの操作によって前記アンロック位置に持ち上げられた前記ロック部材を、前記主扉の開操作に基づいて自重によって所定の第１の回動位置へ回動することにより前記アンロック位置に保持し、前記主扉の閉操作に基づいて前記第１の回動位置から第２の回動位置へ回動することにより前記ロック部材を自重によって前記アンロック位置から前記ロック位置まで落下させて前記ロック部材を前記係合部材に係合させるストッパとを備えたことを特徴とする自動販売機の主扉ロック機構を提供する。上記構成によれば、ロック部材を自重により落下させることにより、摩擦抵抗がほとんどなくロック部材が係合部材に係合し、主扉がロックされる。
【０００７】
【発明の実施の形態】
図１(ａ)，(ｂ)は、本発明の実施の形態に係る主扉ロック機構を適用した自動販売機を示す。この自動販売機１は、前面に開口を有した略箱型状の販売機本体２と、販売機本体２の前面の開口を開閉する主扉３とを有する。
【０００８】
主扉３は、後方の看板３０と前面の透明パネル３１との間に展示スペースを形成し、展示スペースには、複数のサンプル４を展示している。透明パネル３１の表面には、商品を選択する複数の選択ボタン５が設けられている。主扉３には、紙幣を挿入する紙幣挿入口６と、硬貨を投入する硬貨投入口７と、挿入した紙幣や投入した硬貨を返却する返却レバー８と、釣銭を返却する釣銭返却口９と、釣銭切れや投入金額等の表示を行う表示器１０と、商品を取り出すための商品販売口１１と、販売機本体２に対し主扉３をロック・アンロックする主扉ロック機構１２とを配置している。主扉ロック機構１２は、ハンドル１３の回動操作によって上方へ持ち上げられるロック部材１７と、販売機本体２側の上下に取り付けられ、ロック部材１７にそれぞれ係合する一対のロック板１８，１８とを有する。
【０００９】
図２(ａ)，(ｂ)は、主扉ロック機構１２を示す。主扉ロック機構１２は、上記したハンドル１３と、鍵穴１４ａを備え、ハンドル１３に組み込まれた錠前１４と、ハンドル１３を回動自在に保持するハンドルホルダ１５と、ハンドル１３の回動操作によって回動するレバー部材１６と、レバー部材１６の回動によって上下動する断面コ字状のロック部材１７とを有する。主扉３は、表面を構成する表面板３２と、ロック部材１７を上下動可能にガイドするガイド板３３とを備える。ガイド板３３は、レバー部材１６の回動を妨げないように大きな開口３３ａを有する。ロック部材１７は、レバー部材１６が挿入されて連結される連結孔１７ａを有する。レバー部材１６の先端には、連結孔１７ａからレバー部材１６が外れないように突部１６ａを形成している。
【００１０】
図３(ａ)，(ｂ)は、主扉３を閉じ、ロック部材１７がロック位置Ｐｒにある状態を示す。なお、ロック部材１７は、上下のロック板１８にそれぞれ係合するようになっており、それらの係合構造は、同様の構造になっているので、上方の係合構造について、以下、説明する。販売機本体２には、ロック板１８が取り付けられ、ガイド板３３には、ピン１９によってストッパ２０が回動可能に取り付けられている。ロック板１８は、ロック部材１７に合する係止溝１８ａと、係止溝１８ａより前側に形成された傾斜面１８ｂとを備え、取付穴１８ｃを通してボルト（図示せず）によって販売機本体２に取り付けられている。ロック部材１７には、ロック板１８側に開口１７ｂを形成することにより、開口１７ｂの上部にロック板１８の係止溝１８ａに係合する係合部１７ｃを形成しており、また、ガイド板３３に取り付けられたピン１９に係合する長孔１７ｄを形成することにより、上下動可能にガイド板３３に支持されている。また、ロック部材１７には、ストッパ２０を逃げるための開口１７ｅが形成され、上部にロック部材１７を保持する保持部材２１が固定されている。
【００１１】
次に、ロック機構１２の動作を図４および図５をも参照して説明する。
【００１２】
図４(ａ)，(ｂ)は、主扉３を開けたときの状態を示す。主扉３を開ける場合は、錠前１４の鍵穴１４ａに鍵（図示せず）を差し込み、その鍵を回す。鍵の回動により錠前１４が開錠すると、ハンドル１３がハンドルホルダ１５に内蔵されているばね（図示せず）によって前方に突出する。ハンドル１３を左方向へ回動すると、レバー部材１６も左方向へ回動してロック部材１７を上方へ持ち上げる。ロック部材１７が上昇してストッパ２０から離れると、ストッパ２０は自重によって同図(ｂ)の矢印方向へと回動し、ハンドル１３から手を放すと、ロック部材１７が落下し、ロック部材１７に固定されている保持部材２１がストッパ２０の上端部に当接したアンロック位置Ｐｕで停止し、主扉３はアンロック状態になる。
【００１３】
図５(ａ)，(ｂ)は、主扉３を閉めようとしているときの状態を示す。主扉３を閉める場合は、主扉３を販売機本体２側に押し込む。ストッパ２０の下端部がロック板１８の傾斜面１８ｂに当接し、ストッパ２０が同図(ｂ)の矢印方向へ回動する。主扉３をさらに押し込むと、ロック部材１７に固定されている保持部材２１がストッパ２０の上端部から外れてロック部材１７が図４に示すアンロック位置Ｐｕからロック位置Ｐｒまで落下し、図３(ａ)，(ｂ)に示すように、ロック部材１７の係合部１７ｃがロック板１８の係止溝１８ａに係合し、主扉３はロック状態になる。その後、ハンドル１３を押し込むと、ハンドル１３がハンドルホルダ１５に保持され、鍵穴１４ａに鍵を差し込んでその鍵を回すことにより、錠前１４が施錠される。
【００１４】
上述した本実施の形態によれば、ストッパ２０を自重により回動させてロック部材１７を自重により落下させてロック部材１７をロック板１８に係合させているので、摩擦抵抗がほとんどなく、小さな操作力で主扉３をロックすることができ、操作性の向上が図れる。主扉３を開けている図４に示す状態において衝撃等によってストッパ２０が誤って回動してロック部材１７がロック位置Ｐｒまで落下しても、主扉３を販売機本体２側へ押し込むことにより、ロック部材１７の係合部１７ｃの下端がロック板１８の傾斜面１８ｂに沿って上昇して係合部１７ｃをロック板１８の係止溝１８ａに係合させることができる。
【００１５】
【発明の効果】
以上説明した通り、本発明の自動販売機の主扉ロック機構によると、ロック部材を自重により落下させることにより、ロック部材を係合部材に係合させるので、摩擦抵抗がほとんどなく小さな操作力で主扉をロックすることができるので、操作性の向上が図れる。
【図面の簡単な説明】
【図１】  (ａ)は、本発明の実施の形態に係る自動販売機の正面図、(ｂ)は、その側面図である。
【図２】  (ａ)は、本実施の形態に係る主扉ロック機構の横断面図、(ｂ)は、その正面図である。
【図３】  (ａ)は、本実施の形態に係る自動販売機の主扉を閉じた状態を示す横断面図、
(ｂ)は、その縦断面図である。
【図４】  (ａ)は、本実施の形態に係る自動販売機の主扉を開けた状態を示す横断面図、(ｂ)は、その縦断面図である。
【図５】  (ａ)は、本実施の形態に係る自動販売機の主扉を閉めようとしている状態を示す横断面図、(ｂ)は、その縦断面図である。
【図６】従来の自動販売機の主扉ロック機構の主要部の動作を示す図である。
【符号の説明】
１  自動販売機
２  販売機本体
３  主扉
４  サンプル
５  選択ボタン
６  紙幣挿入口
７  硬貨投入口
８  返却レバー
９  釣銭返却口
１０  表示器
１１  商品販売口
１２  主扉ロック機構
１３  ハンドル
１４  錠前
１４ａ  錠穴
１５  ハンドルホルダ
１６  レバー部材
１６ａ  突部
１７  ロック部材
１７ａ  連結孔
１７ｂ  開口
１７ｃ  係合部
１７ｄ  長孔
１７ｅ  開口
１８  ロック板
１８ａ  係止溝
１８ｂ  傾斜面
１８ｃ  取付穴
１９  ピン
２０  ストッパ
２１  保持部材
３０  看板
３１  透明パネル
３２  表面板
３３  ガイド板
３３ａ  開口
Ｐｒ  ロック位置
Ｐｕ  アンロック位置
【図１】
0003654021.tif 000002
【図２】
0003654021.tif 000003
【図３】
0003654021.tif 000004
【図４】
0003654021.tif 000005
【図５】
0003654021.tif 000006
【図６】
0003654021.tif 000007